(57)【要約】【課題】簡単な操作で情報を伝えることで、コミュニケーションの円滑化を図るコミュニケーションシステム及びその端末装置を提供する。【解決手段】端末装置Ａ１０及び端末装置Ｂ１１のそれぞれは、他の端末装置との間で情報を送受信する受信部３２及び送信部３８と、音声を集音するマイク３１と、スピーカ３７と、入力信号に応じた文字を表示する表示部３９と、マイク３１により集音された音声のうち、予め定められた音声の内容のみを認識する音声認識部４１と、音声認識部４１により認識された音声の内容を示す情報を送信部３８から送信させるとともに、他の端末装置から音声の内容を示す情報が受信部３２で受信されたときには、前記情報に示される音声をスピーカ３７から出力させ、前記音声の内容を表示部３９に文字で表示させる制御部４３とを備える。【選択図】　　　　図１
2004080653.tif 000002
【特許請求の範囲】
【請求項１】
互いに通信する複数の端末装置を備えたコミュニケーションシステムであって、
前記端末装置は、
他の端末装置との間で情報を送受信する送受信手段と、
音声を集音するマイクと、
スピーカと、
入力信号に応じた文字を表示する表示手段と、
前記マイクにより集音された音声のうち、予め定められた音声のみを認識する音声認識手段と、
前記音声認識手段により認識された音声の内容を示す情報を送受信手段から送信させるとともに、他の端末装置から音声の内容を示す情報が送受信手段で受信されたときには、前記情報に示される音声を前記スピーカから出力させ、前記音声の内容を前記表示手段に文字で表示させる制御手段と
を備えたことを特徴とするコミュニケーションシステム。
【請求項２】
前記音声認識手段は、
音声の波形とその波形に対応した音声とを予め記憶しており、
マイクで集音された音声の波形を、自らが記憶している前記波形と比較し、略一致する波形に対応する音声を、前記マイクで集音された音声として認識する
ことを特徴とする請求項１記載のコミュニケーションシステム。
【請求項３】
前記コミュニケーションシステムは、さらに、
前記複数の端末装置のうちの少なくとも１つと通信するサーバを備え、
前記少なくとも１つの端末装置の制御手段は、
所定時間内に他の端末装置から所定の音声の内容を示す情報が送受信手段に受信されないときには、ユーザに異常が生じたと判断して、前記判断結果を前記サーバへ通知し、
前記サーバは、
前記通知を受けたときには、前記通知内容を周囲に報知する
ことを特徴とする請求項１又は２記載のコミュニケーションシステム。
【請求項４】
前記複数の端末装置のうちの少なくとも１つは、さらに、
触れることによりその触れ方に応じた信号を出力するタッチパッドを備え、
前記音声認識手段は、
前記タッチパッドから信号を受信したときには、予め定められた音声のうち前記信号に応じた音声を認識する
ことを特徴とする請求項１〜３の何れか１項に記載のコミュニケーションシステム。
【請求項５】
前記複数の端末装置のうちの少なくとも１つは携帯性を有し、
前記少なくとも１つの端末装置の制御手段は、送受信手段に電話回線網を介して他の電話機と通信させることで、前記電話機からの受信結果に応じた音声を前記スピーカから出力させ、且つ前記マイクで集音された音声を示す信号を前記電話機へ送信する
ことを特徴とする請求項１〜４の何れか１項に記載のコミュニケーションシステム。
【請求項６】
前記複数の端末装置のうちの少なくとも１つは携帯性を有し、
前記少なくとも１つの端末装置は、さらに、
ＧＰＳ衛星から自らの位置を示す位置情報を受信する位置情報取得手段を備えて、前記端末装置の制御手段は、前記位置情報を送受信手段から他の端末装置に送信させ、
前記他の端末装置の制御手段は、前記位置情報が送受信手段に受信されると、前記位置情報にて示される位置を、前記表示手段に表示させる
ことを特徴とする請求項１〜５の何れか１項に記載のコミュニケーションシステム。
【請求項７】
互いに通信する複数の端末装置を備えたコミュニケーションシステムであって、
前記端末装置は、
他の端末装置との間で情報を送受信する送受信手段と、
スピーカと、
入力信号に応じた文字を表示する表示手段と、
人の触れを検出して検出信号を出力する検出手段と、
予め定められたメッセージの中から前記検出信号の出力回数に応じたメッセージを判定する判定手段と、
前記判定手段により判定されたメッセージを送受信手段から送信させるとともに、他の端末装置からメッセージが送受信手段で受信されたときには、前記メッセージを音声で前記スピーカから出力させ、前記メッセージを前記表示手段に文字で表示させる制御手段と
を備えたことを特徴とするコミュニケーションシステム。
【請求項８】
前記判定手段は、
前記検出手段からの検出信号の受信回数に対応して異なるメッセージを予め記憶しており、
前記検出手段から検出信号を受信したときには、受信回数をカウントして、カウントされた受信回数に対応するメッセージを、前記検出信号に応じたメッセージとして判定する
ことを特徴とする請求項７記載のコミュニケーションシステム。
【請求項９】
互いに通信する複数の端末装置を備えたコミュニケーションシステムであって、
前記端末装置は、
他の端末装置との間で情報を送受信する送受信手段と、
周囲温度を検知して前記温度に応じた温度信号を出力する温度検知手段と、
入力信号に応じて発光する発光手段と、
前記温度検知手段からの温度信号に基づき、周囲温度が所定温度以上となったときには、所定温度以上となったことを知らせる通知情報を送受信手段から送信させるとともに、他の端末装置から通知情報が送受信手段で受信されたときには、前記発光手段を発光させる制御手段と
を備えたことを特徴とするコミュニケーションシステム。
【請求項１０】
前記端末装置は、さらに、
前記温度検知手段及び発光手段並びに制御手段を収納し、前記発光手段からの光を外部に透過させるケースを備え、
前記端末装置の送受信手段は携帯電話からなる
ことを特徴とする請求項９記載のコミュニケーションシステム。
【請求項１１】
前記コミュニケーションシステムは、さらに、
前記複数の端末装置と通信するサーバを備え、
前記端末装置の送受信手段は、前記サーバを介することで他の端末装置との間で情報を送受信する
ことを特徴とする請求項１０記載のコミュニケーションシステム。
【請求項１２】
前記端末装置の送受信手段は、
電子メールの送受信機能を有する携帯電話からなり、
前記サーバは、
前記各端末装置の電子メールアドレス又は電話番号を記憶しており、
１つの端末装置から前記通知情報を受信すると、他の全ての端末装置に前記通知情報を送信し、
前記他の全ての端末装置のうち何れかから前記通知情報に応答して送信される通知情報を受信すると、最も早く前記通知情報を送信した端末装置を特定し、
特定された端末装置のメールアドレス又は電話番号を前記１つの端末装置に通知するとともに、前記１つの端末装置のメールアドレス又は電話番号を前記特定された端末装置に通知する
ことを特徴とする請求項１１記載のコミュニケーションシステム。
【請求項１３】
前記端末装置の送受信手段は、
電子メールの送受信機能を有する携帯電話からなり、
前記サーバは、
前記各端末装置のメールアドレス又は電話番号を記憶しており、
１つの端末装置から前記通知情報を受信すると、他の全ての端末装置に前記通知情報を送信し、
前記他の全ての端末装置のうち何れかから前記通知情報に応答して送信される通知情報を受信すると、前記通知情報を送信した端末装置を特定し、
特定された端末装置のメールアドレス又は電話番号を前記１つの端末装置に通知するとともに、前記１つの端末装置のメールアドレス又は電話番号を前記特定された端末装置に通知する
ことを特徴とする請求項１１記載のコミュニケーションシステム。
【請求項１４】
互いに通信する複数の端末装置を備えたコミュニケーションシステムにおける１つの端末装置であって、
他の端末装置との間で情報を送受信する送受信手段と、
音声を集音するマイクと、
スピーカと、
入力信号に応じた文字を表示する表示手段と、
前記マイクにより集音された音声のうち、予め定められた音声のみを認識する音声認識手段と、
前記音声認識手段により認識された音声の内容を示す情報を送受信手段から送信させるとともに、他の端末装置から音声の内容を示す情報が送受信手段で受信されたときには、前記情報に示される音声を前記スピーカから出力させ、前記音声の内容を前記表示手段に文字で表示させる制御手段と
を備えたことを特徴とする端末装置。
【請求項１５】
前記音声認識手段は、
音声の波形とその波形に対応した音声とを予め記憶しており、
マイクで集音された音声の波形を、自らが記憶している前記波形と比較し、略一致する波形に対応する音声を、前記マイクで集音された音声として認識する
ことを特徴とする請求項１４記載の端末装置。
【請求項１６】
互いに通信する複数の端末装置を備えたコミュニケーションシステムにおける１つの端末装置であって、
他の端末装置との間で情報を送受信する送受信手段と、
スピーカと、
入力信号に応じた文字を表示する表示手段と、
人の触れを検出して検出信号を出力する検出手段と、
予め定められたメッセージの中から前記検出信号の出力回数に応じたメッセージを判定する判定手段と、
前記判定手段により判定されたメッセージを送受信手段から送信させるとともに、他の端末装置からメッセージが送受信手段で受信されたときには、前記メッセージを音声で前記スピーカから出力させ、前記メッセージを前記表示手段に文字で表示させる制御手段と
を備えたことを特徴とする端末装置。
【請求項１７】
前記判定手段は、
前記検出手段からの検出信号の受信回数に対応して異なるメッセージを予め記憶しており、
前記検出手段から検出信号を受信したときには、受信回数をカウントして、カウントされた受信回数に対応するメッセージを、前記検出信号に応じたメッセージとして判定する
ことを特徴とする請求項１６記載の端末装置。
【請求項１８】
互いに通信する複数の端末装置を備えたコミュニケーションシステムにおける１つの端末装置であって、
他の端末装置との間で情報を送受信する送受信手段と、
周囲温度を検知して前記温度に応じた温度信号を出力する温度検知手段と、
入力信号に応じて発光する発光手段と、
前記温度検知手段からの温度信号に基づき、周囲温度が所定温度以上となったときには、所定温度以上となったことを知らせる通知情報を送受信手段から送信させるとともに、他の端末装置から通知情報が送受信手段で受信されたときには、前記発光手段を発光させる制御手段と
を備えたことを特徴とする端末装置。
【請求項１９】
前記端末装置は、さらに、
前記温度検知手段及び発光手段並びに制御手段を収納し、前記発光手段からの光を外部に透過させるケースを備え、
前記端末装置の送受信手段は携帯電話からなる
ことを特徴とする請求項１８記載の端末装置。
【請求項２０】
互いに通信する複数の端末装置を備えたコミュニケーションシステムにおける通信方法であって、
前記１つの端末装置において、
音声を集音する集音ステップと、
前記集音ステップで集音された音声のうち、予め定められた音声の内容のみを認識する音声認識ステップと、
前記音声認識ステップで認識された音声の内容を示す情報を他の端末装置に送信する送信ステップと、
前記他の端末装置において、
前記情報を受信する受信ステップと、
前記情報に示される音声を出力する音声出力ステップと、
前記情報に示される音声の内容を文字で表示する表示ステップと
を有することを特徴とする通信方法。
【請求項２１】
互いに通信する複数の端末装置を備えたコミュニケーションシステムにおける通信方法であって、
前記１つの端末装置において、
人の触れを検出して検出信号を出力する検出ステップと、
予め定められたメッセージの中から前記検出信号の出力回数に応じたメッセージを判定する判定ステップと、
前記判定ステップにより判定されたメッセージを他の端末装置に送信する送信ステップと、
前記他の端末装置において、
前記メッセージを受信する受信ステップと、
前記メッセージを音声で出力する音声出力ステップと、
前記メッセージを文字で表示する表示ステップと
を有することを特徴とする通信方法。
【請求項２２】
互いに通信する複数の端末装置を備えたコミュニケーションシステムにおける通信方法であって、
前記１つの端末装置において、
周囲温度を検知して前記温度に応じた温度信号を出力する温度検知ステップと、
前記温度信号に基づき、周囲温度が所定温度以上か否かを判別する判別ステップと、
周囲温度が所定温度以上と判別したときには、前記判別結果を知らせる通知情報を他の端末装置に送信する送信ステップと、
前記他の端末装置において、
前記通知情報を受信する受信ステップと、
発光して前記通知情報の受信を知らせる発光ステップと
を有することを特徴とする通信方法。
【請求項２３】
互いに通信する複数の端末装置を備えたコミュニケーションシステムにおけるプログラムであって、請求項２０〜２２の何れか１項に記載の通信方法におけるステップをコンピュータに実行させることを特徴とするプログラム。
【発明の詳細な説明】
【０００１】
【発明の属する技術分野】
本発明は、情報通信を行うことでユーザ間のコミュニケーションを図るコミュニケーションシステム及びその端末装置に関する。
【０００２】
【従来の技術】
近年、ビジネスのみならず一般生活においてもコミュニケーションを図る手段として電子メールが広く利用されている。
電子メールは、電話とともに他人に情報を伝える情報伝達手段の一つであるが、情報を文字だけで伝えるという点で、電話と比較すると一見不便そうに見える。しかし、電子メールが広く普及した理由の一つとして、電子メールは、電話と比較して「しきいが低い」ことが挙げられる。ここで「しきいが低い」とは、気楽に使用できることをいう。
【０００３】
つまり、電話では、情報を伝える対象となる相手の状態のいかんに関わらず、その相手を呼び出してしまうため、情報を伝えようとする者は、その情報を伝えることの重要性や、相手が電話に出られる状態か否かなどを考え、電話をかけることに躊躇してしまうことがある。さらに、電話では、伝えた情報に対して、相手からさらなる情報を求められ、例えばプライバシーに関わる情報など、相手に知られたくない情報までも聞き出されることがある。これと比べて電子メールでは、電子メールを送る側のユーザは、「電子メールを送りたい」と思ったときに、電子メールの文章を作成して送信すれば良く、その際に、相手が電子メールを受信して読むことが出来る状態にあるかといった相手の都合を考える必要は無い。また、電子メールを送る側のユーザは、一方的に自らが伝えたい文章のみを作成して送信することができる。例えば、部下がその上司に対して自らの失敗を謝罪したいとき、電話では口論となってしまうかもしれないところ、電子メールでは謝罪文を一方的に作成して送信することで、穏便に済ませることができる場合がある。一方、電子メールを受ける側のユーザは、「電子メールを読みたい」と思ったときに電子メールを受信して読むことができて、読みたくないときや読むことができる状態でないときにまで無理に読まなくても良い。
【０００４】
【発明が解決しようとする課題】
しかしながら、電子メールでは、ユーザは電子メールを送信するとき文章作成などに手間取ってしまうといった問題がある。即ち、ユーザは、相手に伝えたい情報があっても、手間をかけてまで伝えようとする情報でなければ、電子メールを使用してその情報を伝えようとせず、そのユーザと相手との間でコミュニケーションが図れずに、互いのつながり感が得られない状態となってしまう。
例えば、日常的に行われるような挨拶や相手へのほのかな思いなどは、手間をかけてまで相手に伝えようとする情報ではないが、このような情報の送受信によりコミュニケーションの円滑化が図れ、互いのつながり感を得ることができる。
【０００５】
具体的には、一人暮らしの高齢の母親又は父親は、子供にとって気になる存在である。しかし、電子メールや電話で情報を交わす話題は、毎日あるわけでもないので、電子メールを送信する頻度や電話をかける頻度は少なくなりがちであって、お互いのコミュニケーションが図れずに、つながり感を共有することができなくなってしまう。
そこで、本発明は、かかる問題点に鑑み、簡単な操作で情報を伝えることで、コミュニケーションの円滑化を図るコミュニケーションシステム及びその端末装置を提供することを目的とする。
【０００６】
【課題を解決するための手段】
上記目的を達成するために、本発明に係るコミュニケーションシステムは、互いに通信する複数の端末装置を備えたコミュニケーションシステムであって、前記端末装置は、他の端末装置との間で情報を送受信する送受信手段と、音声を集音するマイクと、スピーカと、入力信号に応じた文字を表示する表示手段と、前記マイクにより集音された音声のうち、予め定められた音声のみを認識する音声認識手段と、前記音声認識手段により認識された音声の内容を示す情報を送受信手段から送信させるとともに、他の端末装置から音声の内容を示す情報が送受信手段で受信されたときには、前記情報に示される音声を前記スピーカから出力させ、前記音声の内容を前記表示手段に文字で表示させる制御手段とを備えたことを特徴とする。
【０００７】
また、本発明のコミュニケーションシステムは、互いに通信する複数の端末装置を備えたコミュニケーションシステムであって、前記端末装置は、他の端末装置との間で情報を送受信する送受信手段と、スピーカと、入力信号に応じた文字を表示する表示手段と、人の触れを検出して検出信号を出力する検出手段と、予め定められたメッセージの中から前記検出信号の出力回数に応じたメッセージを判定する判定手段と、前記判定手段により判定されたメッセージを送受信手段から送信させるとともに、他の端末装置からメッセージが送受信手段で受信されたときには、前記メッセージを音声で前記スピーカから出力させ、前記メッセージを前記表示手段に文字で表示させる制御手段とを備えたことを特徴としてもよい。
【０００８】
さらに、本発明のコミュニケーションシステムは、互いに通信する複数の端末装置を備えたコミュニケーションシステムであって、前記端末装置は、他の端末装置との間で情報を送受信する送受信手段と、周囲温度を検知して前記温度に応じた温度信号を出力する温度検知手段と、入力信号に応じて発光する発光手段と、前記温度検知手段からの温度信号に基づき、周囲温度が所定温度以上となったときには、所定温度以上となったことを知らせる通知情報を送受信手段から送信させるとともに、他の端末装置から通知情報が送受信手段で受信されたときには、前記発光手段を発光させる制御手段とを備えたことを特徴としてもよい。
なお、本発明は、上記コミュニケーションシステムにおける端末装置及び通信方法並びにプログラムとしても実現することができる。
【０００９】
【発明の実施の形態】
（実施の形態１）
以下、本発明の第１の実施の形態における装置について図面を参照しながら説明する。
【００１０】
図１は、本発明の第１の実施の形態におけるコミュニケーションシステムの構成図である。
このコミュニケーションシステムは、簡単な操作で情報を伝えてコミュニケーションの円滑化を図るものであって、互いにインターネット５００によって接続された通信装置である端末装置Ａ１０及び端末装置Ｂ１１並びにサーバ２１を備えている。
端末装置Ａ１０及び端末装置Ｂ１１はそれぞれ互いに異なるユーザの家に設置され、サーバ２１は上記各ユーザが契約している警備会社に設置されている。
【００１１】
図２は、端末装置Ａ１０の機能ブロック図である。
端末装置Ａ１０は、音声を集音して音声信号を出力するマイク３１と、スピーカ３７と、入力信号に応じて画像や文字を表示する表示部３９と、所定のデータをパケットに加工して生成するパケット生成部３６と、インターネット５００を介してパケットを受信する受信部３２と、パケットをインターネット５００を介して送信する送信部３８と、複数種の音声の波形とその音声の内容が登録された音声データｄ１を保存する保存部４２と、その音声データｄ１を用いて音声の内容を認識する音声認識部４１と、スピーカ３７に合成音声を出力させるための合成音声信号を生成する音声合成部４０と、後述する警告データを生成する警告部３５と、上述のマイク３１及びスピーカ３７並びに表示部３９などを制御する制御部４３と、操作ボタンなどを具備して、その操作ボタンの操作に応じて制御部４３に操作信号を出力する操作部３３とを備えている。
【００１２】
また、端末装置Ｂ１１は、端末装置Ａ１０と同一に構成されて制御部４３及び音声認識部４１などを備えている。
【００１３】
タイマー部３４は、時計機能を備えて現在の日時を把握しているとともに、制御部４３からの指示に従って時間計測を行い、現在日時や時間計測の結果を制御部４３に知らせる。
【００１４】
保存部４２の音声データｄ１には、上述のように、複数種の音声の波形と、その波形にて示される音声の内容、例えば「行って来ます」や「ただいま」が登録されている。
【００１５】
音声認識部４１は、マイク３１で集音された音声がどのような内容を示すかを、マイク３１から出力される音声信号に基づいて、保存部４２の音声データｄ１を参照して認識する。具体的には、音声認識部４１は、音声信号の波形を音声データｄ１に登録されている各波形と比較し、略一致する波形に対応して音声データｄ１に登録されている音声の内容を、マイク３１で集音された音声が示す内容と認識する。例えば、ユーザがマイク３１に向かって「行って来ます」と言えば、「行って来ます」という音声を示す音声信号がマイク３１から出力され、保存部４２の音声データｄ１に上記音声の波形とその内容が登録されていれば、音声認識部４１は、マイク３１で集音された音声が「行って来ます」の内容を示す音声であると認識する。
【００１６】
音声合成部４０は、受信部３２で受信されたパケットの内容に応じた合成音声をスピーカ３７から出力させるための合成音声信号を作成する。
【００１７】
警告部３５は、ユーザが危険であることを知らせる内容の警告データを、制御部４３の指示に従って作成する。
【００１８】
制御部４３は、音声認識部４１で音声の内容が認識されると、その内容を示すデータをパケットとしてパケット生成部３６に生成させ、送信部３８にこれを送信させる。
【００１９】
また、制御部４３は、音声合成部４０で作成された合成音声信号をスピーカ３７に出力して、その合成音声信号にて示される合成音声をスピーカ３７から出力させる。例えば、受信部３２で受信されたパケットには「ただいま」の音声の内容を示すデータが含まれており、音声合成部４０がそのデータの内容を示す合成音声信号を作成して出力すると、制御部４３は、その合成音声信号をスピーカ３７へ出力してスピーカ３７から「ただいま」という合成音声を出力させる。
【００２０】
さらに、制御部４３は、音声認識部４１で「行って来ます」の音声の内容が認識されたときには、タイマー部３４に時間計測を開始させ、所定時間内に音声認識部４１で「ただいま」の音声内容が認識されないときには、ユーザに危険が生じたと判断し、警告部３５に警告データを作成させる。そして、制御部４３は、スピーカ３７から警告を促す合成音声や音を発生させて、表示部３９に警告を促す文字を表示させるとともに、警備会社に救援を求めるために上記警告データをパケットとして送信部３８から送信させる。
【００２１】
このような端末装置Ａ１０又は端末装置Ｂ１１の動作について、図３及び図４を参照して説明する。
図３は、端末装置Ａ１０がユーザの音声を取得して、その内容を示すパケットを送信するまでの動作を示す動作フロー図である。
【００２２】
まず、ユーザが端末装置Ａ１０に向かって、「行って来ます」という音声を発すると、マイク３１は、その音声を集音して「行って来ます」という音声を示す音声信号を出力する。
そこで制御部４３は、マイク３１から音声信号を受信すると（ステップＳ１００）、音声認識部４１に対して、その音声信号にて示される音声の波形を保存部４２の各音声データｄ１に登録されている波形と比較させる（ステップＳ１０２）。
【００２３】
次に、制御部４３は、ユーザにより発せられた音声の内容が「行って来ます」を示すものとして音声認識部４１で認識されたと把握すると（ステップＳ１０４のＹ）、パケット生成部３６に対して「行って来ます」を示す内容のデータをパケットとして生成させる（ステップＳ１０６）。そして、制御部４３は、そのパケットを送信部３８からインターネット５００を介して端末装置Ｂ１１に送信させる（ステップＳ１０８）。
また、制御部４３が、音声認識部４１で音声内容が認識されなかったと把握すると（ステップＳ１０４のＮ）、再びマイク３１から音声信号が出力されるのを待ち受ける。
【００２４】
図４は、端末装置Ｂ１１が端末装置Ａ１０からパケットを受信したときの動作を示す動作フロー図である。
端末装置Ｂ１１の制御部４３は、受信部３２を介して端末装置Ａ１０からパケットを受信すると（ステップＳ１２０）、そのパケットに含まれる音声の内容に応じて、時間を計測する必要があるか否かを判別する（ステップＳ１２２）。例えば、パケットに含まれる音声の内容が「行って来ます」であれば、制御部４３は、時間を計測する必要があると判別し、パケットに含まれる音声の内容が「ただいま」であれば、時間を計測する必要がないと判別する。
【００２５】
制御部４３は、時間を計測する必要があると判別すると（ステップＳ１２２のＹ）、タイマー部３４に対して時間の計測を開始するように指示するとともに（ステップＳ１２４）、音声合成部４０に合成音声信号を作成させてスピーカ３７から上記パケットに含まれる音声内容に応じた合成音声を出力させ、且つ、表示部３９に上記音声の内容に応じた文字を表示させる（ステップＳ１２６）。
【００２６】
次に、制御部４３は、上記音声内容に関連する音声内容を含む関連パケットが、所定時間内に端末装置Ａ１０から受信部３２に受信されたか否かを判別する（ステップＳ１２８）。例えば、先のパケットに「行って来ます」を示す音声内容が含まれていれば、制御部４３は、「ただいま」の音声内容を含む関連パケットが受信されたか否かを判別する。
【００２７】
ここで、制御部４３は、関連パケットが受信されたと判別すると（ステップＳ１２８のＹ）、タイマー部３４に対して時間の計測をリセットさせるとともに（ステップＳ１３０）、音声合成部４０に合成音声信号を作成させてスピーカ３７から上記関連パケットに含まれる音声内容に応じた合成音声を出力させ、且つ、表示部３９に上記音声内容に応じた文字を表示させる（ステップＳ１３２）。
【００２８】
また、制御部４３は、関連パケットが所定時間内に受信されなかったと判別すると（ステップＳ１２８のＮ）、端末装置Ａ１０側のユーザに危険が生じたと判断し、その判断結果を知らせる旨の警告データを警告部３５に作成させる（ステップＳ１３４）。また、制御部４３は、上記判断結果に基づき、音声合成部４０に合成音声信号を作成させて警告を促す合成音声をスピーカ３７から出力させ、さらに表示部３９に警告を促す文字を表示させる（ステップＳ１３６）。そして、制御部４３は、警告データを含むパケットをパケット生成部３６に生成させ（ステップＳ１３８）、送信部３８から警備会社のサーバ２１へ送信させる（ステップＳ１４０）。その後、制御部４３は、タイマー部３４に対して時間計測をリセットさせる（ステップＳ１４２）。
【００２９】
また、ステップＳ１２２にて制御部４３が時間計測の必要が無いと判別したときには（ステップＳ１２２のＮ）、制御部４３は、音声合成部４０に合成音声信号を作成させてスピーカ３７から、ステップＳ１２０で受信したパケットに含まれる音声内容に応じた合成音声を出力させ、且つ、表示部３９に上記音声内容に応じた文字を表示させる（ステップＳ１３２）。
【００３０】
ここで、本実施の形態におけるコミュニケーションシステムの全体的な動作について、具体的な例を挙げて説明する。
まず、端末装置Ａ１０のユーザが外出するときに、端末装置Ａ１０のユーザと端末装置Ｂ１１のユーザとの間で挨拶が交わされる場合の動作について、図５〜図８を用いて説明する。
【００３１】
図５は、端末装置Ａ１０及び端末装置Ｂ１１のそれぞれのユーザ間で、通常にコミュニケーションを図る場合におけるコミュニケーションシステムの動作の一例を示すシーケンス図である。
端末装置Ａ１０のユーザは、例えば会社に出勤するため、端末装置Ａ１０に向かって「行って来ます」と音声を発する。
端末装置Ａ１０は、その音声を取得してその内容を認識すると（ステップＳ１５０）、その音声の内容を含むパケットを端末装置Ｂ１１に送信する（ステップＳ１５２）。
【００３２】
端末装置Ｂ１１は、端末装置Ａ１０から送信された上記パケットを受信すると、時間計測を開始するとともに（ステップＳ１５４）、上記パケットに含まれる音声内容に基づき、スピーカ３７から「行って来ます」といった合成音声を出力させ、表示部３９に「行って来ます」の文字を表示させる（ステップＳ１５６）。
【００３３】
図６は、上記端末装置Ｂ１１の表示部３９に表示される画面の一例を示す画面表示図である。
端末装置Ｂ１１の表示部３９には、例えば、端末装置Ａ１０のユーザの写真と、そのユーザの名前を示す名前欄ａ１と、そのユーザの場所を示す場所表示欄ａ２、行動を示す行動表示欄ａ３、及び状態を示す状態表示欄ａ４と、上記「行って来ます」の文字を示すメッセージ欄ａ５とが表示される。
【００３４】
名前欄ａ１には、端末装置Ａ１０のユーザの名前、例えば「山田太郎さん」が表示される。この「山田太郎さん」という名前と写真とは、端末装置Ｂ１１の制御部４３に予め記憶されている。
【００３５】
場所表示欄ａ２及び行動表示欄ａ３並びに状態表示欄ａ４には、端末装置Ｂ１１の制御部４３が、受信された端末装置Ａ１０からのパケットに含まれる内容に基づいて判断した情報が表示される。
【００３６】
即ち、端末装置Ａ１０からのパケットには「行って来ます」とう音声内容が含まれているから、制御部４３は、場所表示欄ａ２に「外出中」の文字を表示させ、さらに、上記パケットを受信した日時及び予めインプットされた行動パターンを考慮して「仕事」の文字と、上記パケットを受信してからの経過時間とを行動表示欄ａ３に表示させる。またさらに、端末装置Ａ１０からのパケットに、「行って来ます」という音声の音圧を示すデータと、「行って来ます」という音声の発生中の時間を示すデータとが含まれているときには、制御部４３は、上記音圧を示すデータに基づき、状態表示欄ａ４に端末装置Ａ１０のユーザの元気の度合いを示す棒グラフを表示させたり、上記音声発生中の時間を示すデータに基づき、状態表示欄ａ４に端末装置Ａ１０のユーザの落ち着きの度合いを示す棒グラフを表示させたりする。
【００３７】
また、メッセージ欄ａ５には、「行って来ます」という文字の他、パケットを受信した時刻も表示される。
上述のような「行って来ます」という合成音声を聞いた端末装置Ｂ１１のユーザ、又は表示部３９の上記文字を見た端末装置Ｂ１１のユーザは、端末装置Ｂ１１に向かって「行ってらっしゃい」と音声を発する。
端末装置Ｂ１１は、その音声を取得してその内容を認識すると（ステップＳ１５８）、その音声内容を含むパケットを端末装置Ａ１０に送信する（ステップＳ１６０）。
【００３８】
端末装置Ａ１０は、端末装置Ｂ１１から送信された上記パケットを受信すると、そのパケットに含まれる音声内容に基づき、スピーカ３７から「行ってらっしゃい」といった合成音声を出力させるとともに、表示部３９に「行ってらっしゃい」の文字を表示させる（ステップＳ１６２）。
次に、端末装置Ａ１０のユーザは、家に帰ってくると端末装置Ａ１０に向かって「ただいま」と音声を発する。
端末装置Ａ１０は、その音声を取得してその内容を認識すると（ステップＳ１６４）、その音声内容を含むパケットを端末装置Ｂ１１に送信する（ステップＳ１６６）。
【００３９】
端末装置Ｂ１１は、端末装置Ａ１０から送信された上記パケットを受信すると、そのパケットに含まれる音声内容に基づいて、そのパケットがステップＳ１５２で受信したパケットに関連する関連パケットと判断して時間計測をリセットさせる（ステップＳ１６８）。そしてさらに端末装置Ｂ１１は、受信された上記関連パケットに含まれる音声内容に基づいて、スピーカ３７から「ただいま」といった合成音声を出力させるとともに、表示部３９に「ただいま」の文字を表示させる（ステップＳ１７０）。
【００４０】
上述のような合成音声を聞いた端末装置Ｂ１１のユーザは、又は表示部３９の上記文字を見た端末装置Ｂ１１のユーザは、端末装置Ｂ１１に向かって「おかえり」と音声を発する。
端末装置Ｂ１１は、その音声を取得してその内容を認識すると（ステップＳ１７２）、その音声の内容を含むパケットを端末装置Ａ１０に送信する（ステップＳ１７４）。
【００４１】
端末装置Ａ１０は、端末装置Ｂ１１から送信された上記パケットを受信すると、そのパケットに含まれる音声内容に基づき、スピーカ３７から「おかえり」といった合成音声を出力させるとともに、表示部３９に「おかえり」の文字を表示させる（ステップＳ１７６）。
【００４２】
図７は、端末装置Ａ１０及び端末装置Ｂ１１のそれぞれのユーザ間でコミュニケーションを図る場合において、端末装置Ａ１０のユーザに危険が生じたときのコミュニケーションシステムの動作を示すシーケンス図である。
図６で説明した動作と同様に、端末装置Ａ１０のユーザは、会社に出勤するため、端末装置Ａ１０に向かって「行って来ます」と音声を発する。
端末装置Ａ１０は、その音声を取得してその内容を認識すると（ステップＳ１８０）、その音声内容を含むパケットを端末装置Ｂ１１に送信する（ステップＳ１８２）。
【００４３】
端末装置Ｂ１１は、端末装置Ａ１０から送信された上記パケットを受信すると、時間計測を開始するとともに（ステップＳ１８４）、上記パケットに含まれる音声内容に基づき、スピーカ３７から「行って来ます」といった合成音声を出力させ、表示部３９に「行って来ます」の文字を表示させる（ステップＳ１８６）。
上述のような「行って来ます」という合成音声を聞いた端末装置Ｂ１１のユーザ、又は表示部３９の上記文字を見た端末装置Ｂ１１のユーザは、端末装置Ｂ１１に向かって「行ってらっしゃい」と音声を発する。
端末装置Ｂ１１は、その音声を取得してその内容を認識すると（ステップＳ１８８）、その音声内容を含むパケットを端末装置Ａ１０に送信する（ステップＳ１９０）。
【００４４】
端末装置Ａ１０は、端末装置Ｂ１１から送信された上記パケットを受信すると、そのパケットに含まれる音声内容に基づき、スピーカ３７から「行ってらっしゃい」といった合成音声を出力させるとともに、表示部３９に「行ってらっしゃい」の文字を表示させる（ステップＳ１９２）。
ここで、端末装置Ａ１０のユーザが家に帰ってこないような場合には、端末装置Ｂ１１は、「行ってらっしゃい」という音声の内容を含むパケットを受けてから、所定時間を経過しても「ただいま」という音声内容を含む関連パケットを受信していないと判断する（ステップＳ１９４）。
【００４５】
そして端末装置Ｂ１１は、上記判断結果に基づいて、端末装置Ａ１０のユーザが外出したまま家に帰ってこないことと、そのユーザに危険が発生したことと、端末装置Ａ１０のユーザの名前及び住所とを知らせる警告データを生成し（ステップＳ１９６）、その警告データをパケットとして警備会社のサーバ２１へ送信する（ステップＳ１９８）。
その警告データを含むパケットを受信したサーバ２１は、その警告データの内容を警備会社の社員に報知し（ステップＳ２０２）、その社員は、端末装置Ａ１０のユーザの家に警備員を派遣したり、そのユーザの捜索を開始したりする。
【００４６】
また、端末装置Ｂ１１は、ステップＳ１９８の後、上記判断結果に基づき、スピーカ３７から「外出したまま帰ってきていません」といった警告を促す合成音声を出力させたり、表示部３９に「外出したまま帰ってきていません」の文字を表示させたりする（ステップＳ２００）。
【００４７】
図８は、上記端末装置Ｂ１１の表示部３９に表示される画面の一例を示す画面表示図である。
この図８に示すように、表示部３９の状態表示欄ａ４には、「外出したまま帰ってきていません」といった文字が表示され、さらに、例えば上記所定時間が１２時間に設定されているときには、１２時間を超えた経過時間が「基準時間５２分オーバー」という文字で表示される。さらに、メッセージ欄ａ５には「連絡先…○×△警備会社　ＴＥＬ０４−１２３−５６７８」という文字が表示される。端末装置Ｂ１１のユーザは、このメッセージ欄ａ５を見て連絡先を確認することにより、自らが電話で上記警備会社に連絡し、端末装置Ａ１０のユーザの捜索などを依頼することができる。なお、上記所定時間は、予め操作部３３を操作して制御部４３に設定され、制御部４３は、その所定時間と、タイマー部３４により計測されている時間とを比較して計算し、状態表示欄ａ４に「基準時間５２分オーバー」の文字を表示させている。さらに、「連絡先…○×△警備会社　ＴＥＬ０４−１２３−５６７８」といった内容のデータも、予め操作部３３の操作により制御部４３に設定されている。
【００４８】
次に、端末装置Ａ１０のユーザが入浴するときに、端末装置Ａ１０のユーザと端末装置Ｂ１１のユーザとの間でコミュニケーションが行われる場合の動作について、図９〜図１２を用いて説明する。
【００４９】
図９は、端末装置Ａ１０及び端末装置Ｂ１１のそれぞれのユーザ間で、通常にコミュニケーションを図る場合におけるコミュニケーションシステムの動作を示すシーケンス図である。
端末装置Ａ１０のユーザは、入浴するとき、端末装置Ａ１０に向かって「お風呂入ります」と音声を発する。
端末装置Ａ１０は、その音声を取得してその内容を認識すると（ステップＳ２１０）、その音声内容を含むパケットを端末装置Ｂ１１に送信する（ステップＳ２１２）。
【００５０】
端末装置Ｂ１１は、端末装置Ａ１０から送信された上記パケットを受信すると、時間計測を開始するとともに（ステップＳ２１４）、上記パケットに含まれる音声内容に基づき、スピーカ３７から「お風呂入ります」といった合成音声を出力させ、表示部３９に「お風呂入ります」の文字を表示させる（ステップＳ２１６）。
図１０は、上記端末装置Ｂ１１の表示部３９に表示される画面の一例を示す画面表示図である。
【００５１】
端末装置Ｂ１１の制御部４３は、端末装置Ａ１０から受信したパケットには「お風呂入ります」とう音声内容が含まれているから、場所表示欄ａ２に「在宅中」の文字を表示させ、行動表示欄ａ３に「入浴」の文字、及びパケットを受信してからの経過時間を表示させる。さらに、メッセージ欄ａ５には、「お風呂入ります」という文字の他、パケットを受信した時刻も表示される。
【００５２】
次に、端末装置Ａ１０のユーザは、お風呂からあがるとき、端末装置Ａ１０に向かって「お風呂あがります」と音声を発する。
端末装置Ａ１０は、その音声を取得してその内容を認識すると（ステップＳ２１８）、その音声内容を含むパケットを端末装置Ｂ１１に送信する（ステップＳ２２０）。
【００５３】
端末装置Ｂ１１は、端末装置Ａ１０から送信された上記パケットを受信すると、そのパケットに含まれる音声内容に基づいて、そのパケットがステップＳ２１２で受信したパケットに関連する関連パケットであると判断して時間計測をリセットさせる（ステップＳ２２２）。そしてさらに端末装置Ｂ１１は、受信された上記関連パケットに含まれる音声内容に基づいて、スピーカ３７から「お風呂あがります」といった合成音声を出力させるとともに、表示部３９に「お風呂あがります」の文字を表示させる（ステップＳ２２４）。
【００５４】
図１１は、端末装置Ａ１０及び端末装置Ｂ１１のそれぞれのユーザ間でコミュニケーションを図る場合において、端末装置Ａ１０のユーザに危険が生じたときのコミュニケーションシステムの動作を示すシーケンス図である。
【００５５】
図９で説明した動作と同様に、端末装置Ａ１０のユーザは、入浴するとき、端末装置Ａ１０に向かって「お風呂入ります」と音声を発する。
端末装置Ａ１０は、その音声を取得して認識すると（ステップＳ２３０）、その音声内容を含むパケットを端末装置Ｂ１１に送信する（ステップＳ２３２）。
【００５６】
端末装置Ｂ１１は、端末装置Ａ１０から送信された上記パケットを受信すると、時間計測を開始するとともに（ステップＳ２３４）、上記パケットに含まれる音声内容に基づき、スピーカ３７から「お風呂入ります」といった合成音声を出力させ、表示部３９に「お風呂入ります」の文字を表示させる（ステップＳ２３６）。
ここで、端末装置Ａ１０のユーザが風呂からあがってこないような場合には、端末装置Ｂ１１は、ステップＳ２３２で「お風呂入ります」という音声内容を含むパケットを受けてから、所定時間を経過しても「お風呂あがります」という音声内容を含む関連パケットを受信していないと判断する（ステップＳ２３８）。
【００５７】
そして端末装置Ｂ１１は、上記判断結果に基づいて、端末装置Ａ１０のユーザが入浴したままあがってこないことと、そのユーザに危険が発生したことと、端末装置Ａ１０のユーザの名前及び住所とを知らせる警告データを生成し（ステップＳ２４０）、その警告データをパケットとして警備会社のサーバ２１へ送信する（ステップＳ２４２）。
その警告データを含むパケットを受信したサーバ２１は、その警告データの内容を警備会社の社員に報知して（ステップＳ２４４）、端末装置Ａ１０のユーザの家に警備員を派遣させる。
【００５８】
また、端末装置Ｂ１１は、ステップＳ２４２の後、上記判断結果に基づき、スピーカ３７から「入浴したままあがってきていません」といった警告を促す合成音声を出力させたり、表示部３９に「入浴したままあがってきていません」の文字を表示させたりする（ステップＳ２４６）。
【００５９】
図１２は、上記端末装置Ｂ１１の表示部３９に表示される画面の一例を示す画面表示図である。
この図１２に示すように、表示部３９の状態表示欄ａ４には、「入浴したままあがってきていません」といった文字が表示されるとともに、例えば上記所定時間が１時間に設定されているときには、１時間を超えた経過時間が「基準時間２１分オーバー」という文字で表示される。さらに、メッセージ欄ａ５には「連絡先…○×△警備会社　ＴＥＬ０４−１２３−５６７８」という文字が表示される。端末装置Ｂ１１のユーザは、このメッセージ欄ａ５を見て連絡先を確認することにより、自らが電話で上記警備会社に連絡し、端末装置Ａ１０のユーザの捜索などを依頼することができる。
【００６０】
このように本実施の形態では、端末装置Ａ１０及び端末装置Ｂ１１の各ユーザは、互いに音声を発するという簡単な操作で、挨拶程度の簡単な情報を相手に伝えることができ、その結果、コミュニケーションの円滑化を図ることができる。言い換えれば、従来コミュニケーションを図るときにはユーザは、情報を伝えるのにしきいの高さを感じていたが、これを低くすることができる。また、予め登録された音声内容しか端末装置Ａ１０及び端末装置Ｂ１１で認識されず、それ以外の音声内容が相手に伝わることが禁止されるので、お互いのプライバシーを保護することができる。
【００６１】
さらに、表示部３９には相手の場所や状態や音声内容などが文字で表示されるため、お互いに相手の生活状況を把握できて、互いのつながり感を醸造することがでる。また、ユーザは相手の危険の発生の有無を検知することや相手の生存確認することができるとともに、サーバ２１が警告データを受信してその内容を報知するため、早急に危険の生じたユーザを救助することができる。
【００６２】
なお、本実施の形態では、端末装置Ａ１０及び端末装置Ｂ１１はそれぞれ、マイク３１で集音されて音声認識部４１で認識された音声内容を、相手の端末装置に伝えたが、操作部３３からの操作信号に応じて選択された音声内容を、相手の端末装置に伝えても良い。即ち、制御部４３は、保存部４２の音声データｄ１に登録された複数の音声内容の中から何れか１つを、操作部３３からの操作信号に応じて選択し、その選択された音声内容を含むパケットを送信部３８から相手の端末装置に送信させる。これによりユーザは、操作部３３の操作ボタンの操作によって簡単に情報を伝えることができる。また、操作部３３にタッチバッドを備えて、タッチバッドの操作に基づいて上記操作信号を出力させても良い。このときには、ユーザは、操作部３３のタッチパッドの操作によって簡単に情報を伝えることができる。
【００６３】
また、本実施の形態では、図５〜図１２に示したように、ユーザが外出するときの例、及び入浴するときの例を挙げて説明したが、本発明の利用は上記の場合に限定されるものではなく、例えばユーザが食事を取るときや、起床及び就寝するときにも本発明を利用することができる。即ち、「いただきます」及び「ご馳走様」と「おはよう」及び「おやすみ」などの音声内容及び波形を、保存部４２の音声データｄ１に登録しておく。これにより、本発明の利用の幅を広げることができる。
（変形例）
【００６４】
次に、上記本実施の形態におけるコミュニティシステムの変形例について説明する。
【００６５】
まず、端末装置Ｂに関する変形例を説明する。
図１３は、変形例に係るコミュニティシステムの端末装置Ｂ１１ａの正面図である。
端末装置Ｂ１１ａは、図１３に示すように、携帯電話として構成され、端末装置Ｂ１１と同様の機能を備えている。
【００６６】
図１４は、端末装置Ｂ１１ａの機能ブロック図である。
端末装置Ｂ１１ａは、端末装置Ｂと同様、マイク３１ａ、受信部３２ａ、操作部３３ａ、タイマー部３４、警告部３５、音声合成部４０、スピーカ３７ａ、表示部３９ａ、送信部３８ａ、保存部４２ａ、音声認識部４１、パケット生成部３６、及び制御部４３ａを備えるとともに、さらに、指で触れる触れ方に応じた入力信号を出力するタッチパッドなどからなる入力部４４と、受信部３２ａ及び送信部３８ａなどを制御して電話回線網を介した電話通信を行い、マイク３１ａ及びスピーカ３７ａを動作させて端末装置Ｂ１１ａのユーザに通話を可能ならしめる電話通信制御部４５とを備えている。
【００６７】
なお、マイク３１ａ及びスピーカ３７ａ並びに表示部３９ａは、それぞれマイク３１及びスピーカ３７並びに表示部３９と同様の機能を有して携帯電話用に構成されている。受信部３２ａ及び送信部３８ａは、それぞれ上述のようなインターネット５００を介したパケットの送受信を行うとともに、通話音声を示す信号の電話回線網を介した送受信も行う。また、操作部３３ａは、操作部３３と同様の機能を有し、電話番号の入力やオンフック及びオフフックなどに用いられる押ボタンが操作せれると、その操作に応じた操作信号を制御部４３ａに出力する。
【００６８】
保存部４２ａは、上記音声データｄ１と入力データｄ２とを保存する。入力データｄ２には、入力部４４から出力される所定の入力信号の特徴を示す特徴データと、その特徴データに対応する音声内容、例えば「行って来ます」や「ただいま」などが登録されている。
このような端末装置Ｂ１１ａは、携帯電話として構成されていることにより、携帯端末装置Ｂ１１ａのユーザは、端末装置Ｂ１１ａを携帯することができる。
【００６９】
また、音声認識部４１は、マイク３１ａからの音声信号を受信したときには、その音声信号及び保存部４２ａの音声データｄ１に基づき、マイク３１ａで集音された音声の内容を認識するとともに、入力部４４からの入力信号を受信したときには、その入力信号の特徴を、保存部４２ａの入力データｄ２に登録されている複数の特徴データにて示される特徴と比較して、略一致する特徴を有する特徴データに対応して入力データｄ２に登録されている音声内容を、入力部４４を操作したユーザが発しようとする音声の内容として認識する。
【００７０】
例えば、ユーザが入力部４４を一度だけタッピングすると、入力部４４はそのタッピングに応じた入力信号を出力し、音声認識部４１は、その入力信号に示される特徴と略一致する特徴を有する特徴データを、保存部４２ａの入力データｄ２から検索する。そして、その特徴データに対応して「行ってらっしゃい」の音声内容が入力データｄ２に登録されていれば、音声認識部４１は、入力部４４を操作したユーザが発しようとする音声内容が「行ってらっしゃい」であると認識する。また、ユーザが入力部４４を二度続けてタッピングすると、入力部４４はそのタッピングに応じた入力信号を出力し、音声認識部４１は、その入力信号にて示される特徴と保存部４２ａの入力データｄ２とに基づいて、入力部４４を操作したユーザが発しようとする音声内容が「おかえり」であると認識する。
【００７１】
これにより、端末装置Ｂ１１ａのユーザは、音声を発することなくタッピングで簡単に端末装置Ａ１０のユーザとコミュニケーションを図ることができる。
例えば、端末装置Ａ１０のユーザが子供であり、端末装置Ｂ１１ａのユーザがその子供の母親である場合には、母親は、職場で端末装置Ｂ１１ａの表示部３９ａを見て子供が帰宅したことを把握したときには、「おかえり」という音声を発することなく、タッピングして「おかえり」という音声内容を子供に伝えることができ、職場の周りに迷惑を掛けることなく子供と簡単にコミュニケーションを図ることができる。
【００７２】
次に、他の変形例を説明する。
【００７３】
図１５は、他の変形例に係るコミュニティシステムの構成図である。
この他の変形例に係るコミュニティシステムは、端末装置Ａ１０と端末装置Ｂ１１ｂとサーバ２１とＧＰＳ衛星２５とから構成される。
【００７４】
図１６は、端末装置Ｂ１１ｂの機能ブロック図である。
この端末装置Ｂ１１ｂは、携帯電話として構成され、図１４に示す端末装置Ｂ１１ａと同様に、マイク３１ａ、受信部３２ａ、操作部３３ａ、タイマー部３４、警告部３５、音声合成部４０、スピーカ３７ａ、表示部３９ａ、送信部３８ａ、保存部４２ａ、音声認識部４１、パケット生成部３６、制御部４３ｂ、入力部４４、及び電話通信制御部４５を備えるとともに、さらに、ＧＰＳ衛星２５と通信して自らの位置を示す位置情報を取得する位置情報取得部４６とを備えている。
【００７５】
この端末装置Ｂ１１ｂの制御部４３ｂは、端末装置Ａ１０に音声内容を含むパケットを送信しようとするときには、位置情報取得部４６で取得された位置情報をそのパケットに含めて、まず警備会社のサーバ２１に送信する。
サーバ２１は、上記パケットを受信すると、そのパケットに含まれる位置情報に基づき、例えば端末装置Ｂ１１ｂのユーザが上記位置情報にて示される位置から自宅にまで辿り着くまでのルート及び所要時間を計算し、そのユーザが自宅に到着する予定時刻を推定する。また、サーバ２１は、端末装置Ｂ１１ｂの存在する位置を住所として、端末装置Ａ１０の表示部３９に表示できるように、その位置情報の内容を解釈して住所情報を生成する。そして、サーバ２１は、上記パケットに含まれていた音声内容と、そのパケットを受信した時間を示す受信時間情報と、上記予定時刻を示す予定時刻情報と、上記住所情報とを含むパケットを端末装置Ａ１０に送信する。
上記パケットを受信した端末装置Ａ１０の制御部４３は、表示部３９の場所表示欄ａ２に、住所情報で示される住所を表示させる。
【００７６】
図１７は、上記サーバ２１からパケットを受信した端末装置Ａ１０の表示部３９に表示される画面の一例を示す画面表示図である。
図１７に示すように、制御部４３ｂは、端末装置Ｂ１１ｂの位置を「大阪府守口市△×町１−５」のように表示部３９の場所表示欄ａ２に表示させるとともに、上記予定時刻情報に基づき、端末装置Ｂ１１ｂのユーザが家に到着する予定時刻を行動表示欄ａ３に表示させる。
【００７７】
なお、本実施の形態及びその変形例では、端末装置Ａ１０のユーザが長時間にわたって帰宅しない場合や風呂からあがらないといった危険が生じたときには、端末装置Ｂ１１，１１ａ，１１ｂからサーバ２１にその危険を通知させたが、端末装置Ａ１０からサーバ２１に危険を通知させても良い。この場合には、端末装置Ａ１０の制御部４３は、「行って来ます」や「お風呂入ります」などの音声内容を含むパケットを送信部３８から送信させたときに、タイマー部３４に時間計測を開始させる。そして制御部４３は、所定時間内に「ただいま」や「お風呂あがります」の音声内容が音声認識部４１で認識されないときに、ユーザに危険が生じたと判断して、警告データを含むパケットを送信部３８からサーバ２１に送信させる。
【００７８】
さらに、本実施の形態及びその変形例では、マイク３１，３１ａからの音声信号に基づき、音声認識部４１に、マイク３１，３１ａで集音された音声の内容のみを認識させたが、その音声を発した人を特定させても良い。この場合、音声認識部４１は、例えば各人の声紋を示す声紋データと、各人を識別するために割り当てられた識別情報とを記憶しており、音声信号から声紋を特定して、その声紋を声紋データに示される声紋と比較し、略一致する声紋の声紋データに対応付けて記憶している識別情報の人を、マイク３１，３１ａに向かって音声を発した人であると特定する。そして、制御部４３，４３ａ，４３ｂは、音声の内容を示すデータとともに上記識別情報をパケットとして送信部３８，３８ａから送信させる。このパケットを受信した端末装置の制御部４３，４３ａ，４３ｂは、そのパケットに含まれる識別情報に基づき誰から音声内容が送信されてきたかを把握し、その人の名前と写真を表示部３９，３９ａに表示させる。これにより、端末装置Ａ１０及び端末装置Ｂ１１，１１ａ，１１ｂのそれぞれを複数人で共有することができ、端末装置Ａ１０及び端末装置Ｂ１１，１１ａ，１１ｂを用いて３人以上で簡単にコミュニケーションの円滑化を図ることができる。
【００７９】
（実施の形態２）
以下、本発明の第２の実施の形態におけるコミュニティシステムについて、図面を参照しながら説明する。
【００８０】
図１８は、本発明の第２の実施の形態におけるコミュニティシステムの構成図である。
このコミュニティシステムは、互いにインターネット５００によって接続された端末装置Ｃ１２と端末装置Ｄ１３とを備え、音声を発することなくタッピングすることで簡単にメッセージを伝えてコミュニケーションの円滑化を図ることに特徴がある。
【００８１】
図１９は、端末装置Ｃ１２の機能ブロック図である。
端末装置Ｃ１２は、端末装置本体１００と、端末装置本体１００に対して後述する検出信号を無線通信媒体を介して送信する３つの送信機２００とからなる。端末装置本体１００は、実施の形態１の端末装置Ａ１０又は端末装置Ｂ１１と同様に、マイク３１、受信部３２、操作部３３、タイマー部３４、警告部３５、音声合成部４０、スピーカ３７、表示部３９、送信部３８、パケット生成部３６、及び制御部４３ｃを備え、さらに、送信機２００からの検出信号を受信する検出信号受信部５１と、自らが保有する判定テーブルｄ３を参照することにより、受信された検出信号の示すメッセージの内容を判定する判定部５０とを備えている。なお、第１の実施の形態と同一の構成要素については、同じ参照符号を付し、その説明を省略する。
【００８２】
送信機２００は、指の触れを検出してその触れ方に応じた検出信号を出力するタッチパッドからなる検出部２０１と、検出部２０１から出力された検出信号、及び各送信機２００を識別するために割り振られた識別情報を、無線通信媒体を介して端末装置本体１００に送信する検出信号送信部２０２とを備えている。
また、端末装置Ｄ１３は、端末装置Ｃ１２と同様の構成を有し、上記端末装置本体１００と３つの送信機２００とから構成されている。
【００８３】
端末装置Ｃ１２及び端末装置Ｄ１３は、それぞれ各ユーザの家に配設さており、例えば３つの送信機２００のうちの１つは、玄関の扉の取手付近に配設され、他の１つはダイニングテーブルに配設され、さらに他の１つはバスルームの扉の取手付近に配設される。
即ち、玄関に配設される送信機２００は、人が玄関の扉の取手を握ったときに、人の指の触れを検知して検知信号と識別情報を端末装置本体１００に送信し、ダイニングテーブルに配設された送信機２００は、人がダイニングテーブルに触れたときに、人の指の触れを検知して検知信号と識別情報を端末装置本体１００に送信し、バスルームの扉に配設された送信機２００は、人がバスルームの扉の取手を握ったときに、人の指の触れを検知して検知信号と識別情報を端末装置本体１００に送信する。
【００８４】
一方、端末装置本体１００の制御部４３ｃは、検出信号受信部５１で受信された検出信号と識別情報を判定部５０に送信する。
判定部５０は、検出信号及び識別情報を受信したときには、識別情報ごとに受信回数をカウントしており、そのカウント結果に基づいて判定テーブルｄ３を参照し、その検出信号の示すメッセージの内容を判定する。
【００８５】
図２０は、判定テーブルｄ３の一例を示すテーブル図である。
この判定テーブルｄ３には、識別情報欄ｂ１と、設置場所欄ｂ２と、受信回数欄ｂ３と、メッセージ欄ｂ４とが含まれている。
判定テーブルｄ３の識別情報欄ｂ１には、各送信機２００に割り振られた識別情報、例えば「０１」、「０２」、及び「０３」が登録され、設置場所欄ｂ２には、各送信機２００が設置されている場所、例えば「玄関」、「ダイニングテーブル」、及び「バスルーム」が上記各識別情報に対応付けて登録され、受信回数欄ｂ３には、検出信号の受信回数、例えば「１」及び「２」が上記各識別情報に対応付けて登録され、メッセージ欄ｂ４には、検出信号の示すメッセージの内容、例えば「行って来ます」や「ただいま」などが上記各識別信号及び各受信回数に対応付けて登録されている。
【００８６】
判定部５０は、検出信号と識別情報を受信すると、上記判定テーブルｄ３を参照し、その識別情報が「０１」であれば、検出信号は玄関に設置された送信機２００から送信されたものであると判断し、さらに、その玄関の送信機２００から検出信号を受信したのが１回目であれば、その検出信号の示すメッセージは「行って来ます」であると判定し、２回目であれば、その検出信号の示すメッセージが「ただいま」であると判定する。
【００８７】
ここで、判定部５０は、検出信号の示すメッセージが「行って来ます」であると判定した後に、タイマー部３４に時間計測を開始させており、所定時間内に検出信号を受信したときに、その検出信号の受信が２回目であると把握して上記判定をするとともに、受信回数のカウントをリセットする。さらに、所定時間内に再び同じ識別情報を有する送信機２００から検出信号を受信することがなかったときも、判定部５０は、受信回数のカウントをリセットし、その後に受信される検出信号は１回目として把握される。
【００８８】
これにより、判定部５０は、玄関の取手が人に握られたときには、「行って来ます」のメッセージが入力されたと判定し、再び握られたときには、「ただいま」のメッセージが入力されたと判定する。さらに、判定部５０は、ダイニングテーブルが人に触れられたときには、「いただきます」のメッセージが入力されたと判定し、再び触れられたときには、「ごちそうさま」のメッセージが入力されたと判定する。また、判定部５０は、バスルームの取手が人に握られたときには、「お風呂入ります」のメッセージが入力されたと判定し、再び握られたときには、「お風呂あがります」のメッセージが入力されたと判定する。
【００８９】
制御部４３ｃは、上記判定部５０の判定により示されるメッセージの内容を含むように、実施の形態１と同様にパケット生成部３６にパケットを生成させ、そのパケットを送信部３８から送信させる。
また、上記パケットを受信した他方の端末装置の制御部４３ｃは、実施の形態１の図４に示す動作と同様の動作を行い、ステップＳ１２６及びステップＳ１３２並びにステップＳ１３６では、受信したパケットに含まれるメッセージに相当する合成音声信号を音声合成部４０に作成させ、その合成音声信号に基づいてスピーカ３７から前記メッセージを合成音声で出力させるとともに、前記メッセージに基づいて、例えば実施の形態１の図６及び図８に示すような文字や画像を表示部３９に表示させる。
【００９０】
このような端末装置Ｃ１２及び端末装置Ｄ１３を備えたコミュニケーションシステムは、実施の形態１の図５〜１２で説明した動作と基本的に同様の動作を行う。
【００９１】
図２１は、端末装置Ｃ１２及び端末装置Ｄ１３のそれぞれのユーザ間でコミュニケーションを図る場合において、端末装置Ｃ１２のユーザに危険が生じたときのコミュニケーションシステムの動作の一例を示すシーケンス図である。
端末装置Ｃ１２のユーザは、会社に出勤するために玄関の扉の取手を握って扉を開くと、端末装置Ｃ１２は「行って来ます」のメッセージが入力されたと認識する（ステップＳ５００）。そして端末装置Ｃ１２は、そのメッセージを含むパケットを端末装置Ｄ１３に送信する（ステップＳ５０２）。
【００９２】
端末装置Ｄ１３は、端末装置Ｃ１２から送信された上記パケットを受信すると、時間計測を開始するとともに（ステップＳ５０４）、上記パケットに含まれるメッセージに基づき、スピーカ３７から「行って来ます」といった合成音声を出力させ、表示部３９に「行って来ます」の文字を表示させる（ステップＳ５０６）。
ここで、端末装置Ｃ１２のユーザが家に帰ってこないような場合には、端末装置Ｄ１３は、「行ってきます」というメッセージを含むパケットを受けてから、所定時間を経過しても「ただいま」というメッセージを含む関連パケットを受信していないと判断する（ステップＳ５０８）。
【００９３】
そして端末装置Ｄ１３は、上記判断結果に基づいて、端末装置Ｃ１２のユーザが外出したまま家に帰ってこないことと、そのユーザに危険が発生したことと、端末装置Ｃ１２のユーザの名前及び住所とを知らせる警告データを生成し（ステップＳ５１０）、その警告データをパケットとして警備会社のサーバ２１へ送信する（ステップＳ５１２）。
その警告データを含むパケットを受信したサーバ２１は、その警告データの内容を警備会社の社員に報知し（ステップＳ５１６）、その社員は、端末装置Ｃ１２のユーザの家に警備員を派遣したり、そのユーザの捜索を開始したりする。
【００９４】
また、端末装置Ｄ１３は、ステップＳ５１２の後、上記判断結果に基づき、スピーカ３７から「外出したまま帰ってきていません」といった警告を促す合成音声を出力させたり、表示部３９に「外出したまま帰ってきていません」の文字を表示させたりする（ステップＳ５１４）。
【００９５】
このように本実施の形態では、ユーザはメッセージを送信するのに特別な操作を要することなく、手の触れによって簡単に自らの意図に合ったメッセージを送信することができ、相手とのコミュニケーションの円滑化を図って、つながり感を共有することができる。また、実施の形態１に示すように音声を発することなく、日常の活動をしていく中で特に意識することもなく相手にメッセージを送信することができる。
【００９６】
なお、本実施の形態では、端末装置Ｃ１２及び端末装置Ｄ１３のそれぞれに送信機２００を３つ備えたが、送信機２００を１つ又は２つ備えたり、４つ以上備えても良い。
さらに、本実施の形態では、送信機２００を玄関の扉とダイニングテーブルとバスルームの扉とに配設したが、他の場所に配設しても良い。
【００９７】
例えば、送信機２００をトイレの扉の取手付近やベッドルームの扉の取手付近に配設しても良い。この場合、判定テーブルｄ３の設置場所欄ｂ２には「トイレ」及び「ベットルーム」の名前が登録され、その「トイレ」に対応してメッセージ欄ｂ４には受信回数に応じて「トイレ使用します」や「トイレから出ます」などのメッセージが登録され、「ベッドルーム」に対応してメッセージ欄ｂ４には受信回数に応じて「おやすみ」や「おはよう」などのメッセージが登録される。また、制御部４３ｃが判定部５０の判定結果に基づいて「トイレ使用します」の文字を表示部３９のメッセージ欄ａ５に表示させるときには、制御部４３ｃは、行動表示欄ａ３に「トイレ使用中」の文字を表示させ、「トイレから出ます」の文字を表示部３９のメッセージ欄ａ５に表示させるときには、行動表示欄ａ３に「トイレを使用していません」の文字を表示させる。これと同様に、制御部４３ｃが判定部５０の判定結果に基づいて「おやすみ」の文字を表示部３９のメッセージ欄ａ５に表示させるときには、制御部４３ｃは、行動表示欄ａ３に「就寝」の文字を表示させ、「おはよう」の文字を表示部３９のメッセージ欄ａ５に表示させるときには、行動表示欄ａ３に「起床」の文字を表示させる。
また、本実施の形態では、検出部２０１をタッチパッドで構成したが、押ボタンスイッチで構成しても良い。
【００９８】
（実施の形態３）
以下、本発明の第３の実施の形態におけるコミュニティシステムについて、図面を参照しながら説明する。
【００９９】
図２２は、本発明の第３の実施の形態におけるコミュニティシステムの構成図である。
このコミュニティシステムは、互いにパケット通信が可能なようにインターネット５００を介して接続された端末装置Ｅ１４と端末装置Ｆ１５とを備え、体温でメッセージを伝えてコミュニケーションの円滑化を図ることに特徴がある。
【０１００】
端末装置Ｅ１４及び端末装置Ｆ１５のそれぞれは、携帯電話３００と、携帯電話３００にケーブルを介して接続されて携帯電話３００と通信する接続装置４００とからなる。
図２３は、端末装置Ｅ１４の機能ブロック図である。
【０１０１】
接続装置４００は、携帯電話３００との間での通信インターフェースを図る通信部６３と、時間の計測を行うタイマー部６１と、ＬＥＤからなる発光部Ａ６４及び発光部Ｂ６５と、温度を検出して温度信号を出力する熱伝対からなる温度センサ６２と、温度センサ６２からの温度信号に応じて通信部６３、タイマー部６１、発光部Ａ６４、及び発光部Ｂ６５を制御する制御部６０とを備えている。
【０１０２】
また、このような接続装置４００は、細長い筒状のケース４０１を備えており、上述の温度センサ６２、通信部６３、タイマー部６１、発光部Ａ６４、発光部Ｂ６５、及び制御部６０は、そのケース４０１に内蔵されている。
ケース４０１において、長手方向の一端側には赤色透明の赤色透光部４０１ａが形成されており、その赤色透光部４０１ａのケース４０１長手方向他端側には青色透明の青色透光部４０１ｂが形成されている。そして、赤色透光部４０１ａの内部に発光部Ａ６４が配設され、青色透光部４０１ｂの内部に発光部Ｂ６５が配設される。
即ち、発光部Ａ６４が点灯したときには、ケース４０１の赤色透光部４０１ａが赤く発光し、発光部Ｂ６５が点灯したときには、ケース４０１の青色発光部４０１ｂが青く発光する。
また、端末装置Ｆ１５は、端末装置Ｅ１４と同一の構成を有する。
【０１０３】
ここで接続装置４００の制御部６０の動作について、図２４及び図２５を参照して説明する。
図２４は、端末装置Ｅ１４がパケットを送信するときにおける接続装置４００の制御部６０の動作を示す動作フロー図である。
【０１０４】
端末装置Ｅ１４のユーザが端末装置Ｅ１４の接続装置４００を握り締めると、ケース４０１の内部温度が上昇し、温度センサ６２からその温度上昇に応じた温度信号が制御部６０に出力される。
制御部６０は、温度センサ６２から温度信号を受信し（ステップＳ２６０）、その温度信号に基づいて、ケース４０１内の温度が所定の温度以上であるか否かを判別する（ステップＳ２６２）。
【０１０５】
制御部６０は、ケース４０１内の温度が所定の温度以上であると判別すると（ステップＳ２６２のＹ）、タイマー部６１に対して時間の計測を開始させるとともに（ステップＳ２６４）、上記判別結果を知らせる内容の通知データを通信部６３から携帯電話３００へ送信させる（ステップＳ２６６）。そして制御部６０は、発光部Ａ６４を点灯させる（ステップＳ２６８）。
【０１０６】
通知データを受けた携帯電話３００は、その通知データと、自らに予め登録されている端末装置Ｅ１４のユーザの名前を示すユーザ名情報とをパケットとして、インターネット５００を介して端末装置Ｆ１５へ送信する。そして、端末装置Ｆ１５は、所定の操作をされたときには、その通知データに応答する応答データと、端末装置Ｆ１５のユーザの名前を示すユーザ名情報とを端末装置Ｅ１４へ送信する。
通知データを通信部６３から送信させた端末装置Ｅ１４の制御部６０は、上記応答データ及びユーザ名情報が端末装置Ｆ１５から端末装置Ｅ１４の携帯電話３００を介して通信部６３に受信されるのを待ち受けており、その応答データなどが所定時間内に受信されたか否かを判別している（ステップＳ２７０）。
【０１０７】
ここで制御部６０は、タイマー部６１での時間計測結果に基づいて所定時間内に、応答データ及びユーザ名情報が受信されたと判別すると（ステップＳ２７０のＹ）、発光部Ａ６４を消灯させるとともに、発光部Ｂ６５を点灯させる（ステップＳ２７２）。さらにこのとき、制御部６０は、応答データと共に受信したユーザ名情報に基づき、携帯電話３００の表示画面に応答データを送信してきたユーザの名前を表示させる。
また、所定時間内に応答データなどが受信されていないと判別すると（ステップＳ２７０のＮ）、制御部６０は、発光部Ａ６４を消灯させて（ステップＳ２７６）、タイマー部６１の時間計測をリセットさせる（ステップＳ２７８）。
【０１０８】
図２５は、端末装置Ｆ１５が端末装置Ｅ１４からパケットを受信したときにおける接続装置４００の制御部６０の動作を示す動作フロー図である。
制御部６０は、携帯電話３００及び通信部６３を介して端末装置Ｅ１４からパケットの通知データ及びユーザ名情報を受信すると（ステップＳ２９０）、タイマー部６１に時間計測を開始させるとともに（ステップＳ２９２）、発光部Ａ６４を点灯させる（ステップＳ２９４）。
ここで、端末装置Ｆ１５のユーザが接続装置４００のケース４０１を握り締めると、ケース４０１内部の温度が上昇し、温度センサ６２はその温度上昇に応じた温度信号を出力する。
【０１０９】
制御部６０は、上述の温度信号を受信すると（ステップＳ２９６）、その温度信号及びタイマー部６１の時間計測に基づき、所定時間内にケース４０１内の温度が所定温度以上に上昇したか否かを判別する（ステップＳ２９８）。
そして制御部６０は、ケース４０１内の温度が所定温度以上になったと判別すると（ステップＳ２９８のＹ）、上記通知データに応答する応答データを作成して通信部６３から携帯電話３００に送信させるとともに（ステップＳ３００）、発光部Ａ６４を消灯して発光部Ｂ６５を点灯させる（ステップＳ３０２）。上記応答データを受けた端末装置Ｆ１５の携帯電話３００は、その応答データと、自らに予め登録されている端末装置Ｆ１５のユーザの名前を示すユーザ情報とをパケットとして、インターネット５００を介して端末装置Ｅ１４に送信する。
【０１１０】
また、ステップＳ２９４の後、端末装置Ｆ１５のユーザが接続装置４００のケース４０１を握り締めることがない場合には、制御部６０は、温度センサ６２から出力された温度信号及びタイマー部６１の時間計測結果に基づき、ケース４０１内部の温度が所定時間内に所定温度以上にならなかったと判別し（ステップＳ２９８のＮ）、発光部Ａ６４を消灯させる（ステップＳ３０６）。
そして、ステップＳ３０２又はステップＳ３０６の後、制御部６０はタイマー部６１による時間計測をリセットさせる（ステップＳ３０８）。
【０１１１】
上述のような端末装置Ｅ１４及び端末装置Ｆ１５を備えたコミュニケーションシステムの全体の動作の一例を、図２６を参照して説明する。
図２６は、コミュニケーションシステムの動作の一例を示すシーケンス図である。
【０１１２】
端末装置Ｅ１４のユーザは、例えば端末装置Ｆ１５のユーザに対して恋愛感情を抱いたときには、端末装置Ｅ１４の接続装置４００のケース４０１を握り締める。
その結果、端末装置Ｅ１４の接続装置４００のケース４０１内部の温度が次第に上昇する。そして、端末装置Ｅ１４は、温度センサ６２からの温度信号に基づいて、ケース４０１内部の温度が所定の温度以上になったと判別するとともに（ステップＳ３２０）、時間の計測を開始する（ステップＳ３２２）。そして、端末装置Ｅ１４は、通知データ及びユーザ名情報をパケットとして端末装置Ｆ１５に送信するとともに（ステップＳ３２４）、発光部Ａ６４を点灯する（ステップＳ３２６）。これにより、端末装置Ｅ１４の接続装置４００の一端は赤色に発光する。
【０１１３】
また、パケットを受信した端末装置Ｆ１５は、時間の計測を開始するとともに（ステップＳ３２８）、発光部Ａ６４を点灯する（ステップＳ３３０）。これにより、端末装置Ｆ１５の接続装置４００の一端も赤色に発光する。またこのとき、端末装置Ｆ１５の携帯電話３００の表示画面には端末装置Ｅ１４のユーザの名前、例えば「山田太郎」が表示される。
【０１１４】
この赤色の発光を見た端末装置Ｆ１５のユーザは、携帯電話３００の表示画面に表示されている名前を確認し、その名前の人が自分に対して恋愛感情を抱いているというその人のメッセージを把握する。
そのメッセージを把握した端末装置Ｆ１５のユーザは、上記表示画面に表示されている名前の人に対して同じく恋愛感情を抱いていると、端末装置Ｆ１５の接続装置４００のケース４０１を握り締める。
【０１１５】
これにより、端末装置Ｆ１５の接続装置４００のケース４０１内部の温度が次第に上昇する。そして端末装置Ｆ１５は、温度センサ６２からの温度信号に基づいて、所定時間内にケース４０１内部の温度が所定温度以上になったと判別するとともに（ステップＳ３３２）、応答データ及びユーザ名情報をパケットとして端末装置Ｅ１４に送信する（ステップＳ３３４）。
その後、端末装置Ｆ１５は、発光部Ａ６４を消灯して発光部Ｂ６５を点灯し（ステップＳ３３６）、時間計測をリセットする（ステップＳ３３８）。
【０１１６】
一方、端末装置Ｆ１５からパケットを受け取った端末装置Ｅ１４も、発光部Ａ６４を消灯して発光部Ｂ６５を点灯し（ステップＳ３４０）、時間計測をリセットする（ステップＳ３４２）。またこのとき、端末装置Ｅ１４の携帯電話３００の表示画面には端末装置Ｆ１５のユーザの名前、例えば「田中花子」が表示される。
これにより、端末装置Ｅ１４の接続装置４００と、端末装置Ｆ１５の接続装置４００とはそれぞれ青色に発光する。そして端末装置Ｅ１４のユーザと端末装置Ｆ１５のユーザとは、青色に発光した接続装置４００を見みることで、それぞれ自己の思いが通じ合えたことを確認する。
【０１１７】
このように本実施の形態では、端末装置Ｅ１４及び端末装置Ｆ１５の各ユーザは、接続装置４００のケース４０１を握って自らの体温で、恋愛感情によるほのかな思いといった簡単な情報を相手に伝えることができ、その結果、コミュニケーションの円滑化を図り、つながり感を共有することができる。
（変形例）
【０１１８】
次に、上記本実施の形態におけるコミュニケーションシステムの変形例について説明する。
図２７は、変形例に係るコミュニケーションシステムの構成図である。
このコミュニケーションシステムは、それぞれインターネット５００を介してパケット通信を行う端末装置Ｇ１６と、端末装置Ｈ１７と、端末装置Ｉ１８と、端末装置Ｊ１９と、サーバ２２とからなり、パケットはサーバ２２を介して各端末装置間で送受信される。
【０１１９】
サーバ２２は、端末装置Ｇ１６、端末装置Ｈ１７、端末装置Ｉ１８、及び端末装置Ｊ１９のそれぞれに対して割り当てられたアドレス（例えばメールアドレス）を１つのグループにまとめて記憶しており、パケットの送信先を予め設定された規定に従って選択する。
例えば、サーバ２２は、端末装置Ｇ１６から通知データ及びユーザ名情報を含むパケット（以下「通知パケット」という）を受信すると、上記規定に従って、その端末装置Ｇ１６が属するグループの他の全ての端末装置Ｈ１７及び端末装置Ｉ１８並びに端末装置Ｊ１９を上記パケットの送信先として選択してその通知パケットを送信する。
【０１２０】
そして端末装置Ｈ１７及び端末装置Ｉ１８並びに端末装置Ｊ１９が前記通知パケットに応答する応答データ及びユーザ名情報を含むパケット（以下「応答パケット」という）を送信し、サーバ２２がこれらの応答パケットを受信すると、サーバ２２は、最初に受信した応答パケットの送信先に端末装置Ｇ１６を選択して、その応答パケットを端末装置Ｇ１６に送信し、他の応答パケットは何れの端末装置に送信することなく廃却する。
即ち、上記規定では、何れか１つの端末装置から通知パケットが送信されると、他の全ての端末装置にそのパケットが送信され、最初に応答した端末装置からの応答パケットのみが前記１つの端末装置に送り返される。
【０１２１】
このようなコミュニケーションシステムの動作の一例について、図２８を参照して説明する。
図２８は、コミュニケーションシステムの動作の一例を示すシーケンス図である。
端末装置Ｇ１６のユーザは、自らの属するグループのメンバー（端末装置Ｈ１７、端末装置Ｉ１８、及び端末装置Ｊ１９の各ユーザ）に対して、自分に最も興味を持っているメンバーを選出したいときには、端末装置Ｇ１６の接続装置４００のケース４０１を握り締める。
【０１２２】
その結果、端末装置Ｇ１６の接続装置４００のケース４０１内部の温度が次第に上昇し、その端末装置Ｇ１６は、温度センサ６２からの温度信号に基づいて、ケース４０１内部の温度が所定の温度以上になったと判別する（ステップＳ３５０）。そして、端末装置Ｇ１６は、通知パケットをサーバ２２に送信するとともに（ステップＳ３５２）、発光部Ａ６４を点灯させて接続装置４００の一端を赤色に発光させる（ステップＳ３５４）。
【０１２３】
また、通知パケットを受信したサーバ２２は、上記規定に従って、端末装置Ｈ１７及び端末装置Ｉ１８並びに端末装置Ｊ１９に送信する（ステップＳ３５６，ステップＳ３５８，ステップＳ３６０）。そして、サーバ２２から通知パケットを受信した端末装置Ｈ１７及び端末装置Ｉ１８並びに端末装置Ｊ１９は、それぞれ発光部Ａ６４を点灯させて接続装置４００の一端を赤色に発光させる（ステップＳ３６２，ステップＳ３６４，ステップＳ３６６）。
【０１２４】
この赤色の発光を見た端末装置Ｈ１７のユーザは、携帯電話３００の表示画面に表示されている名前を確認し、その名前の人が自分に対して興味を持っているか否かを伺うその人のメッセージを把握する。
そのメッセージを把握した端末装置Ｈ１７のユーザは、上記表示画面に表示されている名前の人に対して興味を持っていると、端末装置Ｈ１７の接続装置４００のケース４０１を握り締める。
【０１２５】
これにより、端末装置Ｈ１７の接続装置４００のケース４０１内部の温度が次第に上昇し、その端末装置Ｈ１７は、温度センサ６２からの温度信号に基づいて、ケース４０１内部の温度が所定の温度以上になったと判別する（ステップＳ３６８）。そして、端末装置Ｈ１７は、応答パケットをサーバ２２に送信し（ステップＳ３７０）、発光部Ａ６４の代わりに発光部Ｂ６５を点灯させて接続装置４００の一端を青色に発光させる（ステップＳ３７１）。
【０１２６】
次に、赤色の発光を見た端末装置Ｉ１８のユーザも、端末装置Ｈ１７のユーザと同様に、携帯電話３００の表示画面に表示されている名前を確認し、上記表示画面に表示されている名前の人に対して興味を持っていると、端末装置Ｉ１８の接続装置４００のケース４０１を握り締める。これにより、端末装置Ｉ１８は、ケース４０１内部の温度が所定の温度以上になったと判別する（ステップＳ３７２）。そして、端末装置Ｉ１８は、応答パケットをサーバ２２に送信し（ステップＳ３７４）、発光部Ａ６４の代わりに発光部Ｂ６５を点灯させて接続装置４００の一端を青色に発光させる（ステップＳ３７５）。
【０１２７】
さらに、赤色の発光を見た端末装置Ｊ１９のユーザも、端末装置Ｈ１７及び端末装置Ｉ１８のユーザと同様に、携帯電話３００の表示画面に表示されている名前を確認し、上記表示画面に表示されている名前の人に対して興味を持っていると、端末装置Ｊ１９の接続装置４００を握り締める。これにより、端末装置Ｊ１９は、ケース４０１内部の温度が所定の温度以上になったと判別する（ステップＳ３７６）。そして、端末装置Ｊ１９は、応答パケットをサーバ２２に送信し（ステップＳ３７８）、発光部Ａ６４の代わりに発光部Ｂ６５を点灯させて接続装置４００の一端を青色に発光させる（ステップＳ３７９）。
【０１２８】
サーバ２２は、上述のように端末装置Ｈ１７及び端末装置Ｉ１８並びに端末装置Ｊ１９から応答パケットを受けるが、これらの中で最も早く受信した応答パケットのみを端末装置Ｇ１６に送信する（ステップＳ３８０）。
そして、応答パケットを受信した端末装置Ｇ１６は、発光部Ａ６４の代わりに発光部Ｂ６５を点灯させて接続装置４００の一端を青色に発光させる（ステップＳ３８２）。
【０１２９】
さらにサーバ２２は、端末装置Ｇ１６に端末装置Ｈ１７のアドレスを送信するとともに、端末装置Ｈ１７に端末装置Ｇ１６のアドレスを送信する（ステップＳ３８４，ステップＳ３８６）。
その結果、端末装置Ｇ１６のユーザは、グループの中でも最も自分に興味を持っている人（上記例では端末装置Ｈ１７のユーザ）を見つけ出し、サーバ２２から取得したアドレスを用いて、その人とサーバ２２を介さずに自由にコミュニケーションを図ることができる。
【０１３０】
なお、上述の場合（図２８に示す例の場合）には、ステップＳ３５０〜ステップＳ３８２までの一連の動作が行われた後に、サーバ２２にアドレスを送信させたが、その一連の動作が複数回行われた後に、サーバ２２にアドレスを送信させても良い。
即ち、サーバ２２は、さらに、通知パケットを送信した端末装置に対して何れの端末装置が何回応答パケットを送信できたかをカウントし、その結果を記憶している。そしてサーバ２２は、応答パケットの送信回数が最も多かった端末装置に対してアドレスを送信する。
【０１３１】
図２９は、サーバ２２が記憶する送信履歴データの一例を説明するための説明図である。
サーバ２２は、通知パケットを送信した端末装置に対して何れの端末装置が何回応答パケットを送信できたかをカウントし、その結果を送信履歴データに登録して記憶している。
送信履歴データには、通知パケットを送信した端末装置が登録される通知端末装置欄ｃ１と、その端末装置に対して応答パケットを送信できた端末装置が登録される応答端末装置欄ｃ２と、その端末装置が応答パケットを送信できた回数が登録される回数欄ｃ３とが含まれている。
【０１３２】
例えば、端末装置Ｇ１６が６回だけ通知パケットを送信した結果、端末装置Ｈ１７が１回だけ最も早く応答パケットを送信することができ、端末装置Ｉ１８が２回だけ最も早く応答パケットを送信することができ、端末装置Ｊ１９が３回だけ最も早く応答パケットを送信することができた場合、図２９に示すように、送信履歴データの通知端末装置欄ｃ１には、通知パケットを送信した端末装置Ｇ１６の名前が登録され、応答端末装置欄ｃ２には、その端末装置Ｇ１６に対応付けて、端末装置Ｈ１７、端末装置Ｉ１８、及び端末装置Ｊ１９の各名前が登録され、回数欄ｃ３には、端末装置Ｈ１７が応答パケットを送信できた回数「１」と、端末装置Ｉ１８が応答パケットを送信できた回数「２」と、端末装置Ｊ１９が応答パケットを送信できた回数「３」とが登録される。ここで、この送信履歴データの通知端末装置欄ｃ１や応答端末装置欄ｃ２には、端末装置のメールアドレスや、各端末装置に割り当てられた識別情報や、端末装置の電話番号を登録させておいても良い。
【０１３３】
そしてサーバ２２は、通知パケットの送信が所定回数に達したときに、送信履歴データを参照し、応答パケットを最も多く送信できた端末装置と、通知パケットを送信した端末装置とに対して互いに相手のアドレスを送信する。図２９に示す送信履歴データを例に挙げると、サーバ２２は、端末装置Ｇ１６と端末装置Ｊ１９とに対して互いに相手のアドレスを送信する。
【０１３４】
さらになお、上述の場合には、応答パケットを送信した端末装置の中から何れか１つをサーバ２２に選択させて、通知パケットを送信した端末装置と、その選ばれた１つの端末装置とに対して互いに相手のアドレスをサーバ２２に通知させたが、サーバ２２に上記選択をさせず、受信した全ての応答パケットを、通知パケットを送信した端末装置に送信させても良い。そしてこのような場合には、サーバ２２は、応答パケットを送信した全ての端末装置に、通知パケットを送信した端末装置のアドレスを通知し、通知パケットを送信した端末装置に対して、応答パケットを送信した全ての端末装置のアドレスを送信する。
【０１３５】
このようなコミュニケーションシステムの動作について、図３０を参照して説明する。
図３０は、応答パケットを選択することなく端末装置に送信するサーバ２２を備えたコミュニケーションシステムの動作を示すシーケンス図である。
【０１３６】
端末装置Ｇ１６のユーザは、自らの属するグループのメンバー（端末装置Ｈ１７、端末装置Ｉ１８、及び端末装置Ｊ１９の各ユーザ）に対して、遊びに付き合ってくれるメンバーを選出したいときには、端末装置Ｇ１６の接続装置４００のケース４０１を握り締める。
【０１３７】
その結果、端末装置Ｇ１６の接続装置４００のケース４０１内部の温度が次第に上昇し、その端末装置Ｇ１６は、温度センサ６２からの温度信号に基づいて、ケース４０１内部の温度が所定温度以上になったと判別する（ステップＳ３９０）。そして、端末装置Ｇ１６は、遊びに付き合ってくれるか否かを問い合わせるメッセージを含む通知パケットをサーバ２２に送信するとともに（ステップＳ３９２）、発光部Ａ６４を点灯させて接続装置４００の一端を赤色に発光させる（ステップＳ３９４）。
【０１３８】
また、通知パケットを受信したサーバ２２は、その通知パケットを端末装置Ｈ１７及び端末装置Ｉ１８並びに端末装置Ｊ１９に送信する（ステップＳ３９６，ステップＳ３９８，ステップＳ４００）。そして、サーバ２２から通知パケットを受信した端末装置Ｈ１７及び端末装置Ｉ１８並びに端末装置Ｊ１９は、それぞれ発光部Ａ６４を点灯させて接続装置４００の一端を赤色に発光させる（ステップＳ４０２，ステップＳ４０４，ステップＳ４０６）。
【０１３９】
この赤色の発光を見た端末装置Ｈ１７のユーザは、携帯電話３００の表示画面に表示されている名前を確認し、その名前の人が自分の遊びに付き合ってくれるか否かを伺うその人のメッセージを把握する。
そのメッセージを把握した端末装置Ｈ１７のユーザは、上記表示画面に表示されている名前の人に付き合ってもいいと思っていると、端末装置Ｈ１７の接続装置４００のケース４０１を握り締める。
【０１４０】
これにより端末装置Ｈ１７の接続装置４００のケース４０１内部の温度が次第に上昇し、その端末装置Ｈ１７は、温度センサ６２からの温度信号に基づいて、ケース４０１内部の温度が所定の温度以上になったと判別する（ステップＳ４０８）。そして、端末装置Ｈ１７は、応答パケットをサーバ２２に送信し（ステップＳ４１０）、発光部Ａ６４の代わりに発光部Ｂ６５を点灯させて接続装置４００の一端を青色に発光させる（ステップＳ４１２）。
【０１４１】
ここで、端末装置Ｈ１７から応答パケットを受信したサーバ２２は、その応答パケットを端末装置Ｇ１６に送信する（ステップＳ４１４）。
その結果、端末装置Ｇ１６は、発光部Ａ６４の代わりに発光部Ｂ６５を点灯させて接続装置４００の一端を青色に発光させる（ステップＳ４１６）。
【０１４２】
また、赤色の発光を見た端末装置Ｉ１８のユーザも、端末装置Ｈ１７のユーザと同様に、携帯電話３００の表示画面に表示されている名前を確認し、上記表示画面に表示されている名前の人に付き合ってもいいと思っていると、端末装置Ｉ１８の接続装置４００のケース４０１を握り締める。これにより、端末装置Ｉ１８は、ケース４０１内部の温度が所定温度以上になったと判別する（ステップＳ４１８）。そして、端末装置Ｉ１８は、応答パケットをサーバ２２に送信し（ステップＳ４２０）、発光部Ａ６４の代わりに発光部Ｂ６５を点灯させて接続装置４００の一端を青色に発光させる（ステップＳ４２２）。
【０１４３】
ここでさらに、端末装置Ｉ１８から応答パケットを受信したサーバ２２は、その応答パケットを端末装置Ｇ１６に送信する（ステップＳ４２４）。
その後、サーバ２２は、端末装置Ｇ１６に対して端末装置Ｈ１７のアドレスを通知するとともに（ステップＳ４２６）、端末装置Ｈ１７に対して端末装置Ｇ１６のアドレスを通知し（ステップＳ４２８）、さらに端末装置Ｉ１８に対して端末装置Ｇ１６のアドレスを通知する（ステップＳ４３０）。
【０１４４】
以上、本発明に係るコミュニケーションシステムについて、実施の形態及び変形例を用いて説明したが、本発明は、これらに限定されるものではない。
例えば、実施の形態１及びその変形例並びに実施の形態２では、表示部３９，３９ａの場所表示欄ａ２及び行動表示欄ａ３並びにメッセージ欄ａ５に文字を表示させたが、アニメーションなどを表示させても良い。
【０１４５】
また、本実施の形態１及びその変形例並びに実施の形態２において、端末装置Ａ１０、端末装置Ｂ１１，１１ａ，１１ｂ、端末装置Ｃ１２、及び端末装置Ｄ１３がそれぞれパケットを送信したときには、上記各端末装置の表示部３９，３９ａに「送信完了」の文字を表示させても良い。これにより、上記各端末装置のユーザは、パケットが送信されたことを確認することができる。
【０１４６】
さらに、実施の形態１及びその変形例並びに実施の形態２において、スピーカ３７，３７ａから機械的に作成された合成音声を出力させたが、予め録音しておいた通信相手の音声を出力させても良い。この場合、音声合成部４０に複数種の通話相手の音声をデータとして蓄積させ、制御部４３，４３ａ，４３ｂ，４３ｃに蓄積された複数種の声のうち何れかを選択させて、その音声をスピーカ３７，３７ａから出力させる。これにより、端末装置から通信相手の声が聞こえるため、ユーザは相手とのつながり感を強く感じることができる。また、端末装置Ａ１０、端末装置Ｂ１１，１１ａ，１１ｂ、端末装置Ｃ１２、及び端末装置Ｄ１３に、スピーカ３７，３７ａの代わりにＬＥＤを備えて、他の端末装置からパケットを受信したときには、そのパケットに含まれる音声内容を、ＬＥＤの点滅により表現させても良い。例えば、音声内容が「行って来ます」のときには、ＬＥＤを１回点灯させ、音声内容が「ただいま」のときには、ＬＥＤを２回続けて点滅させる。このようにスピーカ３７，３７ａの代わりにＬＥＤを備えることで、端末装置の小型化を図ることができる。
【０１４７】
また、実施の形態３では、端末装置Ｅ１４及び端末装置Ｆ１５などの接続装置４００に温度センサ６２を備えたが、温度センサ６２の代わりにタッチパッドを備えても良い。この場合、タッチパッドは接続装置４００のケース４０１表面に配設され、接続装置４００の制御部６０は、タッチパッドから所定の信号が出力されたときに通知データ又は応答データの送信を行う。これにより、各端末装置のユーザは、例えばそのタッチパッドに触れるように接続装置４００のケース４０１を握ることで、簡単にメッセージを相手に送ることができる。
【０１４８】
さらに、ユーザが指で直線を往復して描くようにタッチパッドに触れたときにそのタッチパッドから出力される信号と、指で丸や四角を描くようにタッチパッドに触れたときにそのタッチパッドから出力される信号と、タッチパッドをタッピングしたときにそのタッチパッドから出力される信号とを、制御部６０に区別して認識させ、それぞれの信号に応じて、送信する通知データ又は応答データの内容と、発光部Ａ６４又は発光部Ｂ６５の点灯の仕方とを異ならせても良い。これにより、複数種のメッセージを簡単に相手に送ることができる。
【０１４９】
例えば、ユーザが指で直線を往復して描くようにタッチパッドに触れたときには、制御部６０は、「元気ですか」といったメッセージを示す通知データを通信部６３から送信させるとともに、発光部Ａ６４を点滅させ、その通知データを受信した端末装置の制御部６０も、上記通知データに示されるメッセージの内容を判別して、発光部Ａ６４を点滅させる。これにより、通知データを受信した端末装置のユーザは、接続装置４００からの赤色の光の点滅を見ることで、そのメッセージの内容を把握することができる。
【０１５０】
またさらに、実施の形態３の変形例では、図２８のステップＳ３８４及びステップＳ３８６に示すように、サーバ２２に、各端末装置に割り当てられたアドレスを送信させたが、各端端末装置の携帯電話３００の電話番号を送信させても良い。この場合には、サーバ２２は、同一グループに属するユーザが所有する端末装置の携帯電話３００の電話番号を全て記憶している。
これにより、端末装置Ｇ１６のユーザは、端末装置Ｈ１７のユーザに直接電話をかけて親密に話をすることができる。
【０１５１】
【発明の効果】
以上の説明から明らかなように、本発明に係るコミュニケーションシステムは、互いに通信する複数の端末装置を備えたコミュニケーションシステムであって、前記端末装置は、他の端末装置との間で情報を送受信する送受信手段と、音声を集音するマイクと、スピーカと、入力信号に応じた文字を表示する表示手段と、前記マイクにより集音された音声のうち、予め定められた音声のみを認識する音声認識手段と、前記音声認識手段により認識された音声の内容を示す情報を送受信手段から送信させるとともに、他の端末装置から音声の内容を示す情報が送受信手段で受信されたときには、前記情報に示される音声を前記スピーカから出力させ、前記音声の内容を前記表示手段に文字で表示させる制御手段とを備えたことを特徴とする。
【０１５２】
これにより、各端末装置は、取得して認識した音声の内容を、他の端末装置の表示手段に表示させるとともに他の端末装置のスピーカからその音声を出力させるため、各端末装置のユーザは、互いに音声を発するという簡単な操作で、その音声の内容を示す情報を相手に伝えることができ、その結果、コミュニケーションの円滑化を図ることができ、また、予め定められた音声内容しか各端末装置で認識されないため、それ以外の音声内容が相手に伝わることがなく、お互いのプライバシーを保護することができる。
【０１５３】
また、本発明のコミュニケーションシステムは、互いに通信する複数の端末装置を備えたコミュニケーションシステムであって、前記端末装置は、他の端末装置との間で情報を送受信する送受信手段と、スピーカと、入力信号に応じた文字を表示する表示手段と、人の触れを検出して検出信号を出力する検出手段と、予め定められたメッセージの中から前記検出信号の出力回数に応じたメッセージを判定する判定手段と、前記判定手段により判定されたメッセージを送受信手段から送信させるとともに、他の端末装置からメッセージが送受信手段で受信されたときには、前記メッセージを音声で前記スピーカから出力させ、前記メッセージを前記表示手段に文字で表示させる制御手段とを備えたことを特徴としてもよい。
【０１５４】
これにより、各端末装置は、人の触れにより取得して判定されたメッセージを、他の端末装置の表示手段に表示させるとともに他の端末装置のスピーカから出力させるため、各端末装置のユーザは、互いに検出手段に触れるという簡単な操作で、その触れの回数に応じたメッセージを相手に伝えることができ、その結果、コミュニケーションの円滑化を図ることができ、また、予め定められたメッセージしか各端末装置で判定されないため、それ以外のメッセージが相手に伝わることがなく、お互いのプライバシーを保護することができる。
【０１５５】
さらに、本発明のコミュニケーションシステムは、互いに通信する複数の端末装置を備えたコミュニケーションシステムであって、前記端末装置は、他の端末装置との間で情報を送受信する送受信手段と、周囲温度を検知して前記温度に応じた温度信号を出力する温度検知手段と、入力信号に応じて発光する発光手段と、前記温度検知手段からの温度信号に基づき、周囲温度が所定温度以上となったときには、所定温度以上となったことを知らせる通知情報を送受信手段から送信させるとともに、他の端末装置から通知情報が送受信手段で受信されたときには、前記発光手段を発光させる制御手段とを備えたことを特徴としてもよい。
【０１５６】
これにより、各端末装置は、温度検知手段が暖められることにより、通知情報を他の端末装置に送信して、その端末装置の発光手段を発光させるため、各端末装置のユーザは、例えば温度検知手段を握って温度検知手段を暖めるという簡単な操作で、簡単なメッセージを相手に伝えることができ、その結果、コミュニケーションの円滑化を図ることができる。
【図面の簡単な説明】
【図１】本発明の第１の実施の形態におけるコミュニケーションシステムの構成図である。
【図２】同上の端末装置Ａの機能ブロック図である。
【図３】同上の端末装置Ａの動作の一例を示す動作フロー図である。
【図４】同上の端末装置Ｂの動作の一例を示す動作フロー図である。
【図５】同上のコミュニケーションシステムの動作の一例を示すシーケンス図である。
【図６】同上の端末装置Ｂの表示部に表示される画面の一例を示す画面表示図である。
【図７】同上のコミュニケーションシステムの動作の他の例を示すシーケンス図である。
【図８】同上の端末装置Ｂの表示部に表示される画面の他の例を示す画面表示図である。
【図９】同上のコミュニケーションシステムの動作のさらに他の例を示すシーケンス図である。
【図１０】同上の端末装置Ｂの表示部に表示される画面のさらに他の例を示す画面表示図である。
【図１１】同上のコミュニケーションシステムの動作のさらに他の例を示すシーケンス図である。
【図１２】同上の端末装置Ｂの表示部に表示される画面のさらに他の例を示す画面表示図である。
【図１３】同上の変形例に係るコミュニティシステムの端末装置Ｂの正面図である。
【図１４】同上の端末装置Ｂの機能ブロック図である。
【図１５】同上の他の変形例に係るコミュニティシステムの構成図である。
【図１６】同上の端末装置Ｂの機能ブロック図である。
【図１７】同上の端末装置Ａの表示部に表示される画面の一例を示すシーケンス図である。
【図１８】本発明の第２の実施の形態におけるコミュニケーションシステムの構成図である。
【図１９】同上の端末装置Ｃの機能ブロック図である。
【図２０】同上の判定テーブルの一例を示すテーブル図である。
【図２１】同上のコミュニケーションシステムの動作の一例を示すシーケンス図である。
【図２２】本発明の第３の実施の形態におけるコミュニティシステムの構成図である。
【図２３】同上の端末装置Ｅの機能ブロック図である。
【図２４】同上の端末装置Ｅの接続装置の制御部の動作の一例を示す動作フロー図である。
【図２５】同上の端末装置Ｆの接続装置の制御部の動作の一例を示す動作フロー図である。
【図２６】同上のコミュニケーションシステムの動作の一例を示すシーケンス図である。
【図２７】同上の変形例に係るコミュニケーションシステムの構成図である。
【図２８】同上のコミュニケーションシステムの動作の一例を示すシーケンス図である。
【図２９】同上のサーバが記憶する送信履歴データの一例を説明するための説明図である。
【図３０】同上のコミュニケーションシステムの動作の他の例を示すシーケンス図である。
【符号の説明】
１０　端末装置Ａ
１１，１１ａ，１１ｂ　端末装置Ｂ
１２　端末装置Ｃ
１３　端末装置Ｄ
１４　端末装置Ｅ
１５　端末装置Ｆ
１６　端末装置Ｇ
１７　端末装置Ｈ
１８　端末装置Ｉ
１９　端末装置Ｊ
２１，２２　サーバ
２５　ＧＰＳ衛星
３２，３２ａ　受信部
３３，３３ａ　操作部
３４　タイマー部
３５　警告部
３６　パケット生成部
３８，３８ａ　送信部
３９，３９ａ　表示部
４０　音声合成部
４１　音声認識部
４２，４２ａ　保存部
４３，４３ａ，４３ｂ，４３ｃ　制御部
４４　入力部
４５　電話通信制御部
４６　位置情報取得部
５０　判定部
５１　検出信号受信部
６０　制御部
６１　タイマー部
６２　温度センサ
６３　通信部
６４　発光部Ａ
６５　発光部Ｂ
１００　端末装置本体
２００　送信機
２０１　検出部
２０２　検出信号送信部
３００　携帯電話
４００　接続装置
４０１　ケース
５００　インターネット
【図１】
2004080653.tif 000003
【図２】
2004080653.tif 000004
【図３】
2004080653.tif 000005
【図４】
2004080653.tif 000006
【図５】
2004080653.tif 000007
【図６】
2004080653.tif 000008
【図７】
2004080653.tif 000009
【図８】
2004080653.tif 000010
【図９】
2004080653.tif 000011
【図１０】
2004080653.tif 000012
【図１１】
2004080653.tif 000013
【図１２】
2004080653.tif 000014
【図１３】
2004080653.tif 000015
【図１４】
2004080653.tif 000016
【図１５】
2004080653.tif 000017
【図１６】
2004080653.tif 000018
【図１７】
2004080653.tif 000019
【図１８】
2004080653.tif 000020
【図１９】
2004080653.tif 000021
【図２０】
2004080653.tif 000022
【図２１】
2004080653.tif 000023
【図２２】
2004080653.tif 000024
【図２３】
2004080653.tif 000025
【図２４】
2004080653.tif 000026
【図２５】
2004080653.tif 000027
【図２６】
2004080653.tif 000028
【図２７】
2004080653.tif 000029
【図２８】
2004080653.tif 000030
【図２９】
2004080653.tif 000031
【図３０】
2004080653.tif 000032